(57)【要約】【課題】本発明はフレキシブルケーブルに関し、フレキシブルケーブルによって擬似的に同軸伝送路を構成するものがなかった点、フレキシブルケーブルの表裏の両面にコネクタ等を実装させる場合に当該ケーブルを無理に折り曲げなければならない点、折り曲げに対する耐屈曲性を補強しなければならない点、更に、複数の導電線路がある場合に異なる電位の信号を伝送することができない点を解消することである。【解決手段】導体線路と、該導体線路の周囲を所望の間隙を有して囲繞する導電性のシールド部材と、これらを支持する絶縁材料のベースとでなるフレキシブルケーブルにおいて、前記導体線路を複数箇所に併設すると共に、前記シールド部材を前記各導体線路に囲繞させ、当該シールド部材は他の導体線路を囲繞するシールド部材とは電気的に接続されず互いに独立しているフレキシブルケーブル１とする。【選択図】図１
2005183271.tif 000002
【特許請求の範囲】
【請求項１】
導体線路と、該導体線路の周囲を所望の間隙を有して囲繞する導電性のシールド部材と、これらを支持する絶縁材料のベースとでなるフレキシブルケーブルにおいて、
前記導体線路を複数箇所に併設すると共に、前記シールド部材を前記各導体線路に囲繞させ、当該シールド部材は他の導体線路を囲繞するシールド部材とは電気的に接続されず互いに独立していること、
を特徴とするフレキシブルケーブル。
【請求項２】
導体線路の表側と裏側とに、電気・電子部品用の実装部が設けられていること、
を特徴とする請求項１に記載のフレキシブルケーブル。
【請求項３】
ケーブルの屈曲部には、補強テープが貼着されていること、
を特徴とする請求項１または２に記載のフレキシブルケーブル。
【請求項４】
シールド部材は、導体線路に対して上下方向において上位置にある上導電部材と、同位置にある左導電部材・右導電部材と、下位置にある下導電部材と、前記上導電部材と前記左右の導電部材と下導電部材とを電気的に接続し前記導体線路の両側でベースを貫通する導電性の連結部材とでなり、当該連結部材が前記導体線路の配線方向に沿って千鳥配置にされていること、
を特徴とする請求項１乃至３のいずれかに記載のフレキシブルケーブル。
【発明の詳細な説明】
【技術分野】
【０００１】
本発明は、プリント基板間の接続、電子部品同士の接続、または、プリント基板と電子部品との接続等に使用され、特に高速伝送に使用されるフレキシブルケーブル（ＦＰＣ：Ｆｌｅｘｉｂｌｅ  Ｐｒｉｎｔｅｄ  Ｃｉｒｃｕｉｔ  ｂｏａｒｄｓ）、フレキシブルアンテナ等に関するものである。
【背景技術】
【０００２】
従来、高速伝送に使用されるケーブルは、シールドされた同軸ケーブルが主に使用され、一方、携帯電話等の小型機器の伝送にはフレキシブルケーブルが主に使用されている。
【０００３】
しかし、小型機器においても、高速伝送が必要になり、また、周囲のノイズを嫌うようになってシールド化が求められるようになっている。そこで、フレキシブルケーブルにおいても、単に電気回路が存在するだけではなく、それらがシールドされるようになったものが知られている（特許文献１参照）。
【特許文献１】特開平７−１７００８９号公報
【０００４】
しかしながら、シールドを有するフレキシブルケーブルにおいて、そのシールド構造は、例えば、複数個の導体線路を囲繞するグランド部が共通になっており、各個独立したものがなかった。よって、電気信号を伝送する複数の導体線路に、異なる電位の信号を伝送することができない。
【発明の開示】
【発明が解決しようとする課題】
【０００５】
解決しようとする問題点は、フレキシブルケーブルによって擬似的に同軸伝送路を構成するものがなかった点と、フレキシブルケーブルの表裏の両面にコネクタ等を実装させる場合に当該ケーブルを無理に折り曲げなければならない点と、折り曲げに対する耐屈曲性を補強しなければならない点、更に、複数の導電線路がある場合に異なる電位の信号を伝送することができない点である。
【課題を解決するための手段】
【０００６】
本発明に係るフレキシブルケーブルは、導体線路と、該導体線路の周囲を所望の間隙を有して囲繞する導電性のシールド部材と、これらを支持する絶縁材料のベースとでなるフレキシブルケーブルにおいて、前記導体線路を複数箇所に併設すると共に、前記シールド部材を前記各導体線路に囲繞させ、当該シールド部材は他の導体線路を囲繞するシールド部材とは電気的に接続されず互いに独立していることである。
【０００７】
前記導体線路の表側と裏側とに、電気・電子部品用の実装部が設けられていること、；
また、ケーブルの屈曲部には、補強テープが貼着されていること、；
更に、前記シールド部材は、導体線路に対して上下方向において上位置にある上導電部材と、同位置にある左導電部材・右導電部材と、下位置にある下導電部材と、前記上導電部材と前記左右の導電部材と下導電部材とを電気的に接続し前記導体線路の両側でベースを貫通する導電性の連結部材とでなり、当該連結部材が前記導体線路の配線方向に沿って千鳥配置にされていることを含むものである。
【発明の効果】
【０００８】
本発明のフレキシブルケーブルは、   併設された導体線路のシールド部材が電気的に互いに独立しているので、異なる電位の信号を伝送させることができる。
【０００９】
また、導体線路の両側に電気・電子部品を実装できるので、無理にケーブルを曲げる必要がなくなり、ケーブルの損傷を防止できる。更に、ケーブルの屈曲部に補強テープを巻くことで、耐屈曲性が向上する。
シールド部材における連結部材を導体線路の配線方向に沿って千鳥配置にすることで、外乱ノイズの影響及び伝送損失が低く抑えられる。
【発明を実施するための最良の形態】
【００１０】
本発明に係るフレキシブルケーブル１は、図１に示すように、フラットな可撓性ケーブルであり、図２に示すように、導体線路２と、該導体線路２の周囲を所望の間隙を有して囲繞する導電性のシールド部材３と、これらを支持する絶縁材料のベース４とでなる。
【００１１】
前記導体線路２を複数箇所に併設すると共に、前記シールド部材３を前記各導体線路２に囲繞させ、当該シールド部材３は他の導体線路２を囲繞するシールド部材３とは電気的に接続されず互いに独立している。これにより、複数の導電線路がある場合に異なる電位の信号を伝送することができる。
【００１２】
このように、導体線路２とシールド部材３により、擬似同軸伝送路として独立している。なお、これらの擬似同軸伝送路が縦横に積層させて平面視すると格子状に配設することができる。また、前記擬似同軸伝送路の１以上を電源或いは装置全体のグランド線として、或いは、これらを兼用するようにして、フレキシブルケーブル１を形成することができる。
【００１３】
前記シールド部材３は、図２に示すような断面図において、導体線路２に対して上下方向において上位置にある上導電部材５と、同位置にある左導電部材６・右導電部材７と、下位置にある下導電部材８と、前記上導電部材５と前記前記左右の導電部材６，７と下導電部材８とを電気的に接続し前記導体線路２の両側で所定の離間距離にしてベース４を貫通する導電性の連結部材（バンプともいう）９とでなる。図３（Ａ）にその断面図の一部を拡大して示す。
【００１４】
図３（Ｂ），（Ｃ）に示すように、前記連結部材９が前記導体線路２の配線方向に沿って、千鳥配置にされている。この連結部材９は、熱可塑性樹脂の基材に連結部材を配置する個所にビアホール（スルホールともいう）をレーザーで穿孔し、そこに金属ペーストを埋めて、多層に重ねてプレスし、上下の離隔した導電部材（５，６ｏｒ７，８）がこの連結部材９を介して電気的に導通するように形成するものである。この連結部材９を千鳥配置にすることで、導体線路２の直交方向から見ると隙間なく高密度に配置されて、外乱ノイズによる影響や、導体線路２の伝送損失を低く抑えるものである。
【００１５】
前記導体線路２においては、他の実施例として、図４に示すように、同じ信号を一対の伝送路に流す差動伝送路２ａ，２ｂとして、高周波信号の高速伝送に適したフレキシブルケーブルにすることができる。この場合、同図（Ａ），（Ｂ）に示すように、水平に平行に配設した場合と、上下に平行に配設した場合とがある。外乱ノイズをきらう高周波信号の電送特性を、本発明に係るフレキシブルケーブル１で高性能に維持できるものである。
【００１６】
このフレキシブルケーブル１には、図５に示すように、予め予定される屈曲部１ａに、補強テープ１０が貼着されている。この補強テープは、例えば、織布テープなどである。これにより、小型電子機器の内部で屈曲させる場合に、繰り返し屈曲させるのに耐える耐屈曲性が向上する。
【００１７】
更に、図６に示すように、このフレキシブルケーブル１の例えば、両端部において、導体線路２の表側と裏側とに、電気・電子部品１１用の実装部が設けられている。この電気・電子部品１１は、例えば、同軸用コンタクト、アンテナ、ＬＥＤ、スピーカ等である。これにより、フレキシブルケーブル１を無理に屈曲させることなく、部品の電気的接合が可能となって、信頼性が向上するものである。
【図面の簡単な説明】
【００１８】
【図１】本発明に係るフレキシブルケーブル１の平面図である。
【図２】図１におけるＡ−Ａ線に沿った断面図である。
【図３】フレキシブルケーブル１の一部拡大断面図（Ａ）と、バンプ９を千鳥配置にした例を示す断面図（Ｂ）と、平面図（Ｃ）である。
【図４】導体線路２を差動伝送路とした場合の断面図（Ａ），（Ｂ）である。
【図５】本発明に係るフレキシブルケーブル１の屈曲部１ａに補強テープ１０を貼着した様子を示す側面図（Ａ）と、平面図（Ｂ）である。
【図６】同フレキシブルケーブル１の表裏面に電機部品などを実装する様子を説明する説明図（Ａ），（Ｂ）である。
【符号の説明】
【００１９】
１            フレキシブルケーブル、
２            導体線路、
２ａ，２ｂ    差動電送部材、
３            シールド部材、
４            ベース、
５            上導電部材、
６            左導電部材、
７            右導電部材、
８            下導電部材、
９            連結部材、
１０          補強テープ、
１１          電気・電子部品。
【図１】
2005183271.tif 000003
【図２】
2005183271.tif 000004
【図３】
2005183271.tif 000005
【図４】
2005183271.tif 000006
【図５】
2005183271.tif 000007
【図６】
2005183271.tif 000008